(57)【要約】【課題】画像形成装置の近くに設置されたセキュリティーゲートなどの装置の誤動作の抑制を低コストで実現することが可能な画像形成装置を提供すること。【解決手段】画像形成装置１は、スイッチング電源１６と、周波数設定部１７１と、画像形成部１３と、を備える。周波数設定部１７１は、スイッチング電源１６のスイッチング周波数をユーザー操作に応じて設定する。画像形成部１３は、スイッチング電源１６からの電力供給を受けてシートに画像を形成する。【選択図】図１
2018103470.tif 000002
【特許請求の範囲】
【請求項１】
スイッチング電源と、
前記スイッチング電源のスイッチング周波数をユーザー操作に応じて設定する周波数設定部と、
前記スイッチング電源からの電力供給を受けてシートに画像を形成する画像形成部と、
を備える画像形成装置。
【請求項２】
予め定められた複数の周波数を選択候補として表示する表示制御部を更に備え、
前記周波数設定部は、前記表示制御部により表示される前記複数の周波数の中からユーザー操作に応じて選択される周波数に、前記スイッチング周波数を設定する、
請求項１に記載の画像形成装置。
【請求項３】
前記画像形成装置の近くに設置されるセキュリティーゲートの動作方式をユーザー操作に応じて判別する方式判別部を更に備え、
前記周波数設定部は、前記方式判別部により判別される前記セキュリティーゲートの動作方式に対応して予め定められた周波数に、前記スイッチング周波数を設定する、
請求項１に記載の画像形成装置。
【請求項４】
前記画像形成部を制御する動作制御部を更に備え、
前記動作制御部は、前記スイッチング周波数が前記周波数設定部によってまだ設定されていない場合、前記画像形成部の動作モードを低消費電力モードに設定する、
請求項１〜３のいずれかに記載の画像形成装置。
【請求項５】
前記動作制御部は、前記スイッチング周波数が前記周波数設定部によってまだ設定されていない場合、前記スイッチング周波数が設定されるまで前記画像形成部のキャリブレーション処理の実行を待機する、
請求項１〜４のいずれかに記載の画像形成装置。
【発明の詳細な説明】
【技術分野】
【０００１】
本発明は、スイッチング電源を備える画像形成装置に関する。
【背景技術】
【０００２】
スイッチング電源のスイッチングノイズの高調波周波数が、アンテナからの受信波の周波数に一致した場合に、前記スイッチング電源のスイッチング周波数を他の周波数に自動的に切り替えることが可能な無線受信機が知られている（例えば、特許文献１参照）。
【先行技術文献】
【特許文献】
【０００３】
【特許文献１】特開平１１−１２２１２３号公報
【発明の概要】
【発明が解決しようとする課題】
【０００４】
ところで、スイッチング電源を備えた画像形成装置の近くにセキュリティーゲートが設置されている場合、前記スイッチング電源のスイッチングノイズによりセキュリティーゲートが誤動作することがある。
【０００５】
そこで、セキュリティーゲートの誤動作を防止するために、セキュリティーゲートが発する電波を受信して、当該受信波の周波数に応じて前記スイッチング電源のスイッチング周波数を自動的に切り替えることが考えられる。しかしながら、一般に、画像形成装置には、セキュリティーゲートが発する電波を受信する機能が設けられていない。よって、上記構成を採用するには、セキュリティーゲートが発する電波を受信する機能を画像形成装置に追加する必要があり、その分だけ画像形成装置のコストが増加してしまう。
【０００６】
本発明の目的は、画像形成装置の近くに設置されたセキュリティーゲートなどの装置の誤動作の抑制を低コストで実現することが可能な画像形成装置を提供することにある。
【課題を解決するための手段】
【０００７】
本発明の一の局面に係る画像形成装置は、スイッチング電源と、周波数設定部と、画像形成部と、を備える。前記周波数設定部は、前記スイッチング電源のスイッチング周波数をユーザー操作に応じて設定する。前記画像形成部は、前記スイッチング電源からの電力供給を受けてシートに画像を形成する。
【発明の効果】
【０００８】
本発明によれば、画像形成装置の近くに設置されたセキュリティーゲートなどの装置の誤動作の抑制を低コストで実現することが可能な画像形成装置が提供される。
【図面の簡単な説明】
【０００９】
【図１】図１は、本発明の実施形態に係る画像形成装置のシステム構成を示すブロック図である。
【図２】図２は、セキュリティーゲートで使用される周波数帯域を示す図である。
【図３】図３は、本発明の実施形態に係る画像形成装置で表示されるスイッチング周波数選択画面の一例を示す図である。
【図４】図４は、本発明の実施形態に係る画像形成装置で表示される動作方式選択画面の一例を示す図である。
【図５】図５は、本発明の実施形態に係る画像形成装置で用いられる周波数情報の一例を示す図である。
【図６】図６は、本発明の実施形態に係る画像形成装置で実行される動作制御処理の手順の一例を示すフローチャートである。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定するものではない。
【００１１】
［画像形成装置の構成］
図１に示されるように、本発明の実施形態に係る画像形成装置１は、操作表示部１０、ＡＤＦ（Auto Document Feeder）１１、画像読取部１２、画像形成部１３、通信Ｉ／Ｆ１４、記憶部１５、スイッチング電源１６、及び制御部１７を備える。具体的に、画像形成装置１は、プリンター機能、スキャナー機能、コピー機能、及びファクシミリ機能などを有する複合機である。なお、本発明は、複合機に限らず、コピー機、プリンター、ファクシミリ装置のような任意の画像形成装置に適用可能である。
【００１２】
操作表示部１０は、情報を表示する液晶ディスプレーなどの表示部と、ユーザー操作を受け付けるタッチパネル及び操作ボタンなどの操作部とを備える。
【００１３】
ＡＤＦ１１は、原稿セット部、搬送ローラー、原稿押さえ、及び排紙部を備え、画像読取部１２の読み取り対象となる原稿を搬送する自動原稿搬送装置である。
【００１４】
画像読取部１２は、原稿台、光源、ミラー、光学レンズ、及びＣＣＤ（Charge Coupled Device）を備え、原稿の画像を読み取って画像データとして出力することが可能である。
【００１５】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１６】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１７】
記憶部１５は、ハードディスク又はＥＥＰＲＯＭ（登録商標）などの不揮発性の記憶部である。記憶部１５には、制御部１７によって実行される各種の制御プログラム、及び各種のデータなどが記憶される。
【００１８】
スイッチング電源１６は、画像形成装置１の各部（画像形成部１３など）に電力を供給する。スイッチング電源１６は、所定のスイッチング周波数でオンオフ制御されることによって画像形成部１３などに電力を供給する。すなわち、画像形成部１３は、スイッチング電源１６からの電力供給を受けてシートに画像を形成する。
【００１９】
ところで、このようなスイッチング電源１６を備えた画像形成装置１の近くに、万引き防止又は不正通行防止のためのセキュリティーゲートが設置されることがある。この場合、スイッチング電源１６のスイッチングノイズによりセキュリティーゲートが誤動作することがある。
【００２０】
セキュリティーゲートには複数の動作方式が存在し、図２に示されるように、動作方式ごとに、使用される周波数が異なっている。例えば、磁気方式のセキュリティーゲートでは２００Ｈｚ〜１４ｋＨｚの周波数が使用される。自鳴方式のセキュリティーゲートでは２２ｋＨｚ〜３７．５ｋＨｚの周波数が使用される。音響磁気方式のセキュリティーゲートでは５８ｋＨｚ〜６０ｋＨｚの周波数が使用される。電波方式のセキュリティーゲートでは４．６ＭＨｚ〜１０．５ＭＨｚの周波数が使用される。一方、画像形成装置１からは、スイッチング電源１６のスイッチング周波数に対応する周波数のノイズが発せられる。
【００２１】
そこで、セキュリティーゲートの誤動作を防止するために、セキュリティーゲートが発する電波を受信して、当該受信波の周波数に応じてスイッチング電源１６のスイッチング周波数を自動的に切り替えることが考えられる。しかしながら、このような構成を採用するには、セキュリティーゲートが発する電波を受信する機能を画像形成装置１に追加する必要があり、その分だけ画像形成装置１のコストが増加してしまう。これに対して、本実施形態の画像形成装置１では、以下で説明するような構成及び動作により、画像形成装置１の近くに設置されたセキュリティーゲートなどの装置の誤動作の抑制を低コストで実現することが可能である。
【００２２】
制御部１７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２３】
具体的に、制御部１７は、周波数設定部１７１、表示制御部１７２、方式判別部１７３、及び動作制御部１７４を含む。なお、制御部１７は、前記制御プログラムに従って各種の処理を実行することによりこれらの各処理部として機能する。また、制御部１７は、これらの各処理部の一部又は複数の処理機能を実現する電子回路を備えるものであってもよい。
【００２４】
周波数設定部１７１は、スイッチング電源１６のスイッチング周波数をユーザー操作に応じて設定する。具体的には、周波数設定部１７１は、操作表示部１０に表示されるスイッチング周波数選択画面Ｐ１（図３参照）又は動作方式選択画面Ｐ２（図５参照）に対するユーザー操作に応じて、スイッチング電源１６のスイッチング周波数を設定する。
【００２５】
表示制御部１７２は、予め定められた複数の周波数を選択候補として表示する。例えば、表示制御部１７２は、図３に示されるスイッチング周波数選択画面Ｐ１を操作表示部１０に表示する。スイッチング周波数選択画面Ｐ１は、スイッチング電源１６のスイッチング周波数を選択するための操作画面である。図３に示されるスイッチング周波数選択画面Ｐ１には、４０ｋＨｚの周波数を選択するための操作キーＫ１と、７５ｋＨｚの周波数を選択するための操作キーＫ２とが含まれる。ユーザーは、例えば、スイッチング周波数選択画面Ｐ１に含まれる操作キーＫ１及び操作キーＫ２のうち、画像形成装置１の近くに設置されたセキュリティーゲートで使用される周波数からより離れた周波数に対応する操作キーを操作する。例えば、前記セキュリティーゲートの動作方式が磁気方式又は自鳴方式である場合は、ユーザーは、７５ｋＨｚの周波数に対応する操作キーＫ２を操作する。また、前記セキュリティーゲートの動作方式が音響磁気方式又は電波方式である場合は、ユーザーは、４０ｋＨｚの周波数に対応する操作キーＫ１を操作する。周波数設定部１７１は、表示制御部１７２により表示される前記複数の周波数の中からユーザー操作に応じて選択される周波数（ここでは、４０ｋＨｚ又は７５ｋＨｚ）に、スイッチング電源１６のスイッチング周波数を設定する。これにより、前記セキュリティーゲートの誤動作が抑制されるようなスイッチング周波数が設定される。
【００２６】
なお、選択候補として表示される４０ｋＨｚという周波数は、前記セキュリティーゲートの動作方式が音響磁気方式又は電波方式である場合に、前記セキュリティーゲートの誤動作を抑制するのに適切なスイッチング周波数の単なる一例に過ぎない。よって、種々の条件（例えば、消費電力、高調波、ＥＭＩなど）を考慮して、４０ｋＨｚ以外の任意の適切な周波数を採用してもよい。選択候補として表示される７５ｋＨｚという周波数についても同様である。
【００２７】
なお、スイッチング周波数選択画面Ｐ１に表示される複数の周波数の中から適切な周波数を選択することは、一部のユーザーにとっては困難であるかも知れない。そこで、適切なスイッチング周波数をより簡単に設定できるように、表示制御部１７２は、スイッチング周波数選択画面Ｐ１の代わりに、図４に示される動作方式選択画面Ｐ２を操作表示部１０に表示してもよい。動作方式選択画面Ｐ２は、画像形成装置１の近くに設置されたセキュリティーゲートの動作方式を選択するための操作画面である。図４に示される動作方式選択画面Ｐ２には、磁気方式又は自鳴方式を選択するための操作キーＫ３と、音響磁気方式又は電波方式を選択するための操作キーＫ４とが含まれる。ユーザーは、動作方式選択画面Ｐ２に含まれる操作キーＫ３及び操作キーＫ４のうち、画像形成装置１の近くに設置されたセキュリティーゲートの動作方式に対応する操作キーを操作する。
【００２８】
方式判別部１７３は、画像形成装置１の近くに設置されるセキュリティーゲートの動作方式をユーザー操作に応じて判別する。具体的には、動作方式選択画面Ｐ２に対するユーザー操作に基づいて、前記セキュリティーゲートの動作方式を判別する。周波数設定部１７１は、方式判別部１７３により判別される前記セキュリティーゲートの動作方式に対応して予め定められた周波数に、前記スイッチング周波数を設定する。具体的には、周波数設定部１７１は、図５に示される周波数情報Ｄ１に基づいて、前記スイッチング周波数を設定する。周波数情報Ｄ１は、セキュリティーゲートの動作方式とスイッチング周波数との対応関係を示す情報であって、記憶部１５又は前記ＲＯＭに予め記録されている。周波数情報Ｄ１には、セキュリティーゲートの動作方式に対応した適切なスイッチング周波数が予め登録されている。動作方式選択画面Ｐ２における操作キーＫ３が操作された場合は、周波数設定部１７１は、周波数情報Ｄ１に基づいて、スイッチング電源１６のスイッチング周波数を４０ｋＨｚに設定する。動作方式選択画面Ｐ２における操作キーＫ４が操作された場合は、周波数設定部１７１は、周波数情報Ｄ１に基づいて、スイッチング電源１６のスイッチング周波数を７５ｋＨｚに設定する。これにより、ユーザーは、前記セキュリティーゲートの動作方式を選択するだけで、スイッチング電源１６のスイッチング周波数を適切な周波数に簡単に設定することができる。
【００２９】
動作制御部１７４は、画像形成部１３を制御する。例えば、動作制御部１７４は、画像形成部１３に、シートに画像を形成させる画像形成処理、電源投入時に実行されるキャリブレーション処理などを実行させる。前記キャリブレーション処理には、例えば、シートに転写される画像（トナー画像）の濃度を適切な濃度に調整する処理などが含まれる。また、動作制御部１７４は、画像形成部１３の動作モードを必要に応じて低消費電力モード（スリープモード、スタンバイモードなど）に切り替える。
【００３０】
ところで、一般に、画像形成処理時及びキャリブレーション処理時には、スイッチング電源１６から画像形成部１３に供給される電力が大きくなる。そのため、画像形成装置１から発せられるノイズが大きくなり、セキュリティーゲートの誤動作を引き起こしやすい。一方、低消費電力モード時には、画像形成装置１から発せられるノイズが小さくなり、セキュリティーゲートの誤動作を引き起こしにくい。よって、低消費電力モード時には、周波数設定部１７１によって設定されたスイッチング周波数に関わらず、スイッチング電源１６のスイッチング周波数が、周波数設定部１７１によって設定されたスイッチング周波数よりも低い周波数に設定されてもよい。
【００３１】
なお、周波数設定部１７１によってスイッチング電源１６のスイッチング周波数が一旦設定されると、設定されたスイッチング周波数は、記憶部１５などに不揮発的に記憶され、画像形成装置１の電源がオフされても保持される。よって、前記スイッチング周波数が一旦設定されると、画像形成装置１の電源投入時に実行されるキャリブレーション処理時には、設定されたスイッチング周波数でスイッチング電源１６が動作するため、当該キャリブレーション処理時における前記セキュリティーゲートの誤動作が抑制される。
【００３２】
一方、画像形成装置１の出荷後の初回の電源投入時のように、スイッチング電源１６のスイッチング周波数が周波数設定部１７１によってまだ設定されていない場合は、その電源投入時に実行されるキャリブレーション処理時に、既定（デフォルト）のスイッチング周波数でスイッチング電源１６が動作すると、前記セキュリティーゲートが誤動作するおそれがある。そこで、このような誤動作を抑制するために、動作制御部１７４は、スイッチング電源１６のスイッチング周波数が周波数設定部１７１によってまだ設定されていない場合、画像形成部１３の動作モードを低消費電力モードに設定してもよい。また、動作制御部１７４は、スイッチング電源１６のスイッチング周波数が周波数設定部１７１によってまだ設定されていない場合、前記スイッチング周波数が設定されるまで画像形成部１３のキャリブレーション処理の実行を待機してもよい。
【００３３】
［動作制御処理］
次に、図６を参照しつつ、制御部１７によって実行される動作制御処理の手順の一例について説明する。ここで、ステップＳ１，Ｓ２，・・・は、制御部１７により実行される処理手順（ステップ）の番号を表している。なお、前記動作制御処理は、例えば、画像形成装置１の電源がオンされたことに応じて開始される。
【００３４】
＜ステップＳ１＞
まず、ステップＳ１において、制御部１７は、スイッチング周波数を設定済みであるか否かを判断する。例えば、制御部１７は、設定済みのスイッチング周波数が記憶部１５に記録されている場合に、スイッチング周波数を設定済みであると判断する。もしくは、制御部１７は、記憶部１５に記録されている、スイッチング周波数が設定済みか否かを示すフラグに基づいて、スイッチング周波数を設定済みであるか否かを判断してもよい。そして、スイッチング周波数を設定済みであると判断されると（Ｓ１：Ｙｅｓ）、処理がステップＳ５に移行する。一方、スイッチング周波数が未設定であると判断されると（Ｓ１：Ｎｏ）、処理がステップＳ２に移行する。
【００３５】
＜ステップＳ２＞
ステップＳ２において、制御部１７（動作制御部１７４）は、画像形成部１３の動作モードを低消費電力モードに設定する。これにより、画像形成装置１から発せられるノイズのレベルが抑制されるため、画像形成装置１の近くにセキュリティーゲートが設置されていたとしても、前記セキュリティーゲートの誤動作が抑制される。
【００３６】
＜ステップＳ３＞
ステップＳ３において、制御部１７（表示制御部１７２）は、予め定められた選択画面（すなわち、スイッチング周波数選択画面Ｐ１又は動作方式選択画面Ｐ２）を操作表示部１０に表示する。
【００３７】
なお、制御部１７は、前記ステップＳ３の直前に、画像形成装置１の近くにセキュリティーゲートが設置されているか否かをユーザーに問い合わせる画面を表示してもよい。そして、画像形成装置１の近くにセキュリティーゲートが設置されている場合は、制御部１７は、処理を前記ステップＳ３に移行させ、画像形成装置１の近くにセキュリティーゲートが設置されていない場合は、制御部１７（周波数設定部１７１）は、スイッチング電源１６のスイッチング周波数を、既定（デフォルト）の周波数に設定し、それから処理をステップＳ５に移行させてもよい。
【００３８】
＜ステップＳ４＞
ステップＳ４において、制御部１７（周波数設定部１７１）は、前記選択画面に対するユーザー操作に応じて、スイッチング電源１６のスイッチング周波数を設定する。そして、処理がステップＳ５に移行する。
【００３９】
＜ステップＳ５＞
ステップＳ５において、制御部１７（動作制御部１７４）は、画像形成部１３のキャリブレーション処理を実行する。このとき、スイッチング電源１６は、前記ステップＳ４で設定されたスイッチング周波数（又は過去に後述のステップＳ１０で設定されたスイッチング周波数）で動作するため、画像形成装置１の近くに設置されているセキュリティーゲートの誤動作が抑制される。
【００４０】
＜ステップＳ６＞
ステップＳ６において、制御部１７は、操作表示部１０を通じて、又は外部のファクシミリ装置若しくは外部の情報処理装置から画像形成要求が入力されたか否かを判断する。そして、画像形成要求が入力されたと判断されると（Ｓ６：Ｙｅｓ）、処理がステップＳ７に移行する。一方、画像形成要求が入力されていないと判断されると（Ｓ６：Ｎｏ）、処理がステップＳ８に移行する。
【００４１】
＜ステップＳ７＞
ステップＳ７において、制御部１７（動作制御部１７４）は、画像形成部１３に画像形成処理を実行させる。そして、処理がステップＳ８に移行する。
【００４２】
＜ステップＳ８＞
ステップＳ８において、制御部１７は、操作表示部１０を通じて、周波数設定要求が入力されたか否かを判断する。例えば、制御部１７は、周波数設定要求を入力するためのメニュー項目又は操作キーが操作された場合に、周波数設定要求が入力されたと判断する。前記周波数設定要求は、例えば、画像形成装置１をセキュリティーゲートの近くに移動させたとき、画像形成装置１の近くにセキュリティーゲートを設置したときなどに、必要に応じてユーザーにより入力される。そして、周波数設定要求が入力されたと判断されると（Ｓ８：Ｙｅｓ）、処理がステップＳ９に移行する。一方、周波数設定要求が入力されていないと判断されると（Ｓ８：Ｎｏ）、処理がステップＳ１１に移行する。
【００４３】
＜ステップＳ９＞
ステップＳ９において、制御部１７（表示制御部１７２）は、予め定められた選択画面（すなわち、スイッチング周波数選択画面Ｐ１又は動作方式選択画面Ｐ２）を操作表示部１０に表示する。
【００４４】
＜ステップＳ１０＞
ステップＳ１０において、制御部１７（周波数設定部１７１）は、前記選択画面に対するユーザー操作に応じて、スイッチング電源１６のスイッチング周波数を設定（例えば、変更）する。そして、処理がステップＳ１１に移行する。
【００４５】
＜ステップＳ１１＞
ステップＳ１１において、制御部１７は、画像形成装置１の電源がオフされたか否かを判断する。そして、画像形成装置１の電源がオフされたと判断されると（Ｓ１１：Ｙｅｓ）、前記動作制御処理が終了する。一方、画像形成装置１の電源がオフされていないと判断されると（Ｓ１１：Ｎｏ）、処理が前記ステップＳ６に戻る。
【００４６】
以上のように、本実施形態に係る画像形成装置１によれば、スイッチング電源１６のスイッチング周波数をユーザー操作に応じて設定することができるので、画像形成装置１の近くに設置されたセキュリティーゲートなどの装置の誤動作の抑制を低コストで実現することが可能である。
【００４７】
また、本実施形態に係る画像形成装置１では、スイッチング周波数が周波数設定部１７１によってまだ設定されていない場合に、画像形成部１３の動作モードが低消費電力モードに設定されるとともに、スイッチング周波数が設定されるまで画像形成部１３のキャリブレーション処理の実行が待機される。よって、例えば、画像形成装置１の出荷後の初回の電源投入直後に実行されるキャリブレーション処理時に、画像形成装置１の近くに設置されているセキュリティーゲートが誤動作してしまうことを抑制することができる。
【００４８】
［変形例］
なお、本実施形態では、スイッチング周波数選択画面Ｐ１に２つ周波数が選択候補として表示されるが、本発明はこれに限定されない。他の実施形態では、スイッチング周波数選択画面Ｐ１に３つ以上の周波数が選択候補として表示されてもよい。
【００４９】
また、本実施形態では、動作方式選択画面Ｐ２に２つの操作キーＫ３，Ｋ４が表示されるが、本発明はこれに限定されない。他の実施形態では、動作方式選択画面Ｐ２に３つ以上の操作キー（例えば、磁気方式、自鳴方式、音響磁気方式、及び電波方式の各々に対応する４つの操作キー）が表示されてもよい。この場合、周波数情報Ｄ１には、これらの４種類の動作方式ごとに個別にスイッチング周波数が登録されていてもよい。
【００５０】
また、本実施形態では、画像形成装置１の近くにセキュリティーゲートが設置される場合について説明したが、本発明はこれに限定されない。本発明は、セキュリティーゲートに限らず、画像形成装置１から発せられるノイズの影響を受ける任意の電子機器の誤動作を抑制するのに有効である。
【符号の説明】
【００５１】
１  画像形成装置
１０  操作表示部
１１  ＡＤＦ
１２  画像読取部
１３  画像形成部
１４  通信Ｉ／Ｆ
１５  記憶部
１６  スイッチング電源
１７  制御部
１７１  周波数設定部
１７２  表示制御部
１７３  方式判別部
１７４  動作制御部
【図１】
2018103470.tif 000003
【図２】
2018103470.tif 000004
【図３】
2018103470.tif 000005
【図４】
2018103470.tif 000006
【図５】
2018103470.tif 000007
【図６】
2018103470.tif 000008